(57)【要約】      （修正有）【課題】検診台上で血管造影検査などを行う場合、腕を動かさないでしかも簡単に固定できる腕置き台を提供する。【解決手段】被検者Ｋの腕置き台の主体部１−Ｐの先端に被検者Ｋの手先を引っ掛ける手先係止部１−Ｅが設けられている。さらに腕置き台１の中間部位に腕Ａを支承する弾性部材が付設されている。手先係止部１−Ｅは腕置き台の主体部１−Ｐの先端においてかつ腕置き台１の長手方向と垂直な方向の切欠部で形成される。あるいは腕置き台の主体部１−Ｐの先端に穿設された矩形状の孔あるいは円形状の孔で形成される。弾性部材は厚みが異なる複数個の弾性部材で構成することもできる。【選択図】図９
0003142079.tif 000002
【実用新案登録請求の範囲】
【請求項１】
被検者を検診台上に載架横臥させて検診を行う検診台に支持されて被検者の腕を支承する腕置き台であって、腕置き台における手先が位置する部位に手の平を上方に向けた状態での手先を係止させることができる手先係止部を形成したことを特徴とする検診用腕置き台。
【請求項２】
前記腕置き台の長手方向の先端部に長手方向と垂直な方向の切欠部を形成し前記切欠部を手首受け部とし切欠された垂直部材を手先係止部として構成されたことを特徴とする請求項１記載の検診用腕置き台。
【請求項３】
前記腕置き台の長手方向の先端部に手首まで挿通できる孔を穿設し、前記孔を手首受け部とし孔を中心とする腕置き台の外周を手先係止部として構成したことを特徴とする請求項１記載の検診用腕置き台。
【請求項４】
前記垂直部材に把持用の凹凸部を形成し、垂直部材を把持部として構成したことを特徴とする請求項３記載の検診用腕置き台。
【請求項５】
前記孔を中心とする腕置き台の外周辺部に把持用の凹凸部を形成し外周辺部を把持部として構成したことを特徴とする請求項３記載の検診用腕置き台。
【請求項６】
前記孔が矩形状であることを特徴とする請求項３または請求項４および請求項５記載の検診用腕置き台。
【請求項７】
前記孔が円形状であることを特徴とする請求項３または請求項４および請求項５記載の検診用腕置き台。
【請求項８】
前記腕置き台の中間部位に腕を固定する腕固定具が付設されていることを特徴とする請求項１記載の検診用腕置き台。
【請求項９】
前記腕置き台の中間部位に腕を支承する弾性部材が付設されていることを特徴とする請求項１記載の検診用腕置き台。
【請求項１０】
前記弾性部材はその厚さが異なる複数個の部材で構成されていることを特徴とする請求項４記載の検診用腕置き台。
【請求項１１】
前記手先係止部には各指先が個々に係止できるそれぞれの凹部が形成されていることを特徴とする請求項１記載の検診用腕置き台。
【請求項１２】
前記被検者を検診台上に載架横臥させて検診を行う検診台に支持されて被検者の腕を支承する腕置き台であって、腕置き台における手先が位置する部位に手の平を上方に向けた状態での手先を係止させることができる手先係止部を把持部として構成したことを特徴とする検診用腕置き台。
【請求項１３】
前記把持部は腕置き台の先端部にて長軸方向と垂直に突出した部材で構成されていることを特徴とする請求項６記載の検診用腕置き台。
【請求項１４】
前記把持部は腕置き台の先端部にて長軸方向と垂直に突出した部材でかつ各指を係止できる凹部が形成されていることを特徴とする請求項６記載の検診用腕置き台。
【請求項１５】
前記把持部は腕置き台の先端部に穿設された孔の周辺部で形成されていることを特徴とする請求項６記載の検診用腕置き台。
【考案の詳細な説明】
【技術分野】
【０００１】
本考案は、Ｘ線透視撮影装置などによって検診する場合に使用される腕置き台に関する。
【背景技術】
【０００２】
たとえばＸ線透視撮影装置を用いた血管造影検査は、カテーテルを被検者の血管に挿入して行われる。この場合カテーテルは通常、被検者の大腿部または手首の血管から入れられて検査が行われている（特許文献１参照）。検査装置としてはたとえば図１０に示される装置が使用される。すなわち図１０に示すようにＣアーム３の下端に取り付けたＸ線源４と上端に取り付けたＸ線を検知するＸ線検出器５を３次元方向に移動可能なＸ線透視撮影装置ＸＤと検診台ＴＤの組合せからなる装置が使用される。
【０００３】
６は図１０に示すとおり検診台を兼ねる天板であり、１は腕置き台である。なお、図１０に示される腕置き台１は、張出部１−Ｓが付設されていて、天板６と被検者Ｋ（図１１）の間で支持される形式のものである。被検者Ｋを載せる検診台である天板６は図１１に示すとおりで、Ｘ線透視撮影装置ＸＤ（図１０）との干渉をできるだけ少なくするために、天板幅Ｗは被検者Ｋの肩幅とほぼ同等の大きさに設定されている。なお図１１においてＭはマットレスで被検者ＫはこのマットレスＭ上に横臥される。
【０００４】
そして検査において手首からカテーテルを入れる場合、図１１に示すとおり被検者Ｋは体側から腕を離した状態を維持しなければならず、天板に腕置き台１を設置する必要がある。このような事情から腕置き台１を天板６に支持させるが、この腕置き台１には天板６にボルトやクランプで揺動可能に係合させて使用する腕置き台１や、図１１に示し、上述したとおり被検者Ｋが天板６の上に横臥した状態で背中と天板との間に張出部１−Ｓを挟み被検者Ｋの体重で腕Ａを支える腕置き台１等が使用される。
【０００５】
図１１は張出部１−Ｓを有する腕置き台１の使用例を示しており、被検者Ｋは手首の血管が上になるように腕置き台１の上に腕Ａを置き、そして手の平が上に向く状態にしてカテーテルを入れやすいように手首を伸ばした状態を示す図であるが、腕Ａの固定は医療用テープＭＴなどで腕置き台１に固定している。
【特許文献１】特開２００６−２０６６６号公報、特開平０８−１９１８６８号公報
【考案の開示】
【考案が解決しようとする課題】
【０００６】
医療用テープＭＴなどによる固定だけでは被検者Ｋが不意に動いてしまったときなどに弛んだり剥がれたりすると、手首の角度が変わったり腕Ａが腕置き台１からずれたりして検査に支障をきたすことになる。腕Ａを強固に固定するとなると、医療用テープＭＴ等を何重にも巻き付けるとか、固定用のバンドを付設することが必要となり、腕置き台１の構造が複雑になる。しかも腕Ａを固定する作業や外す作業も複雑となり熟練を要する。
【課題を解決するための手段】
【０００７】
本考案が提供する検診用腕置き台は上記課題を解決するために、腕置き台における手先の部位に手の平を上方に向けた状態での手先が位置する部位に手先を係止させる手先係止部を形成したものである。手先係止部は所定の長さを有する板状の部材の先端部位において長手方向と垂直な方向に切欠部を設け、垂直方向に突設される部材で形成される。この場合、切欠部を手首の部位の受け部として機能させ、垂直方向の部材が手先係止部として機能する。
【０００８】
さらに本考案が提供する検診用腕置き台は、この手先係止部の外周に把持用の凹凸部を形成し、手先係止部を把持部として構成するものである。
さらに本考案が提供する検診用腕置き台は、腕置き台の長手方向の先端部に孔を穿設し、この孔を手首の受け部として構成し孔を中心とする外周辺部に把持用の凹凸部を形成して、前記外周辺部を把持部として構成したものである。
【０００９】
さらに、本考案が提供する検診用腕置き台は、その先端部に穿設される孔が円形であり、手首までの挿入を容易にしたものである。
さらに、本考案が提供する検診用腕置き台は、腕置き台の中間部位に腕を固定する腕固定具が付設されたものである。
【００１０】
さらに本考案が提供する検診用腕置き台は腕置き台の中間部位に腕を支承する弾性部材が付設されたものである。
さらに本考案が提供する検診用腕置き台は弾性部材がその厚さが異なる複数個の部材で構成されものである。
さらに本考案が提供する検診用腕置き台は手先が位置する部位における手先係止部には把持用の凹凸部が形成され、手先係止部が把持部として構成されたものである。
【００１１】
したがって、仰向けに横臥した被検者Ｋが腕置き台１の上に腕を伸ばして、その手先を腕置き台１における手先係止部１―Ｅに引っ掛けることで、必ず手首の血管が上になる向きに腕Ａを腕置き台１に簡易的に固定できる。さらに確実に医療用テープＭＴなどで固定する作業を容易にできる。また、万が一テープなどによる固定が不充分であっても、腕Ａが腕置き台１からずれ落ちることを防止できる。
【考案の効果】
【００１２】
本考案は上記の形状をなすものであり、手先を腕置き台１に引っ掛けられるので、クッション性を有する弾性部材を手首の下方部あるいは腕置き台１の中間部位の下方域に敷くことで、手首の血管を突き出す状態で維持することができる。さらにクッション性を有する弾性部材の厚みを変えることで、手首の角度を調節することができる。この場合厚みの異なる複数個の弾性部材が準備される。
【考案を実施するための最良の形態】
【００１３】
本考案が提供する腕置き台は、患者の腕を置くのに充分な長さを有する板材で構成され、その上端すなわち患者の肩側にて天板に揺動可能に係止される形式のもの、あるいは中間部に張出部を有して、患者と天板との間に張出部を挟持させて使用するいずれの形式の腕置き台に係るものである。
【００１４】
そしてこの腕置き台の長手方向先端部位、すなわち手先が位置する部位に切欠部を設け、前記長手方向と垂直方向に突設された部材を形成し、この垂直方向突設部材にて手先係止部を構成したものである。しかも腕置き台の主体部すなわち前記突設部材以外の部位に弾性部材を付設する。さらに弾性部材は着脱自在であってしかも複数の部材からなり、それぞれ厚さが異なる弾性部材が準備される。
【実施例】
【００１５】
以下本考案が提供する実施例を挙げると図１から図９に示すとおりである。なお図９は被検者Ｋが天板６に横臥した状態を上方より見た図である。
図１は本考案における基本的な腕置き台１の外観図を斜視的に示す図で、この実施例では被検者Ｋ（図９）の前腕を載せる腕置き台の主体部１−Ｐと上腕を載せる上腕載せ部１−Ｔ、腰部の下に挿入される張出部１−Ｓが形成されている。素材はたとえばＸ線透過性の良いカーボンの板と発泡アクリル材からできている。
【００１６】
腕置き台１の剛性を確保するためには、ある程度の厚さは必要で、なお且つ軽量にするため、発泡アクリルをカーボンの板で挟みこんだ構造である。表裏の区別はなく、被検者Ｋ（図９）の右腕、左腕のどちらに対しても使用することができる。本考案は、図に示すとおり長手方向の先端部、すなわち手先が位置する部位に、長手方向と垂直方向の切欠部１Ｋを設け、この切欠部１Ｋの形成による垂直方向の部材が被検者Ｋ（図９）の手先を引っ掛ける手先係止部１−Ｅとして形成された腕置き台１である。
【００１７】
図２は図１と同様に形成された腕置き台１を示す図で、腕置き台の主体部１−Ｐと上腕を載せる上腕載せ部１−Ｔ、腰部の下に挿入する張出部１−Ｓが形成されている。そして手先が位置する部位に被検者Ｋ（図９）の手先を引っ掛ける手先係止部１−Ｅが形成され、さらにこの手先係止部１−Ｅの外周囲には手先の各指による把持用の凹凸部１−Ｇが形成され、把持部として構成された例を示している。さらには手の平の下面に痛みを生じないように腕置き台１に曲面部１−Ｎが形成されている。
【００１８】
図３は手先を引っ掛ける手先係止部１−Ｅが形成された腕置き台１の具体的な使用例を示す図で、特に腕Ａを腕置き台１に固定するベルト２付きの腕置き台１を示している。このベルト２はたとえばマジックテープ（Ｒ）と称されているもので、下側ベルト２１と上側ベルト２２の組み合わせで固定する。このベルト２については他の方式すなわち孔開きベルトに止めピンを挿入する方式のベルトでもよい。１Ｆはベルト取付部である。この場合、被検者Ｋ（図示せず）の腕Ａをカテーテル挿入がしやすい角度になるように腕置き台１の位置を調整する。
【００１９】
図４は手先係止部１−Ｅが形成された腕置き台１について、腕置き台の主体部１−Ｐに弾性部材（たとえばクッション材）７を付設した具体的な使用例を示している。腕Ａを載せる手首からのカテーテルの挿入がやりやすくなるよう腕Ａの体勢を形成できる。弾性部材７は着脱自在な方式とすることもできる。また図３と図４の構成を結合させる構成とすることもできる。
【００２０】
図５に示す実施例は、手先係止部１−Ｅが形成された腕置き台１に腰部の下に挿入する張出部１−Ｓが形成され、かつ腕置き台１の中心部に弾性部材７−１を埋設した例で、図４に示す程の分厚い弾性部材（クッション材）７ではないが、肘の痛みを軽減できる程度の弾性部材７−１が埋設された例である。
【００２１】
図６は天板６（図９参照）に揺動自在に係合される形式の腕置き台１において、弾性部材７−２を付設した例である。この腕置き台１には係合用孔１−Ｈが穿設されており、この係合用孔１−Ｈを介してボルト（図示せず）等にて天板６（図９参照）に揺動自在に係合される。しかも図６の例では手先係止部１−Ｅの外周が円弧状態に揃えられていて、指先に痛みを生じない工夫がされている。この工夫は図１から図５および後述する図７に示す各腕置き台１にも適用可能である。
【００２２】
図７は、上記考案について説明してきた腕置き台１の先端部に孔１Ｈを穿った実施例で、特に図７（Ａ）は、孔１Ｈと孔１Ｈの周辺部１−Ｒを手先係止部として構成したものである。孔１Ｈはほぼ矩形状をなし、手首までが挿通できる大きさに設定されている。孔１Ｈの周辺部１−Ｒが手先係止部として機能する。他方図７（Ｂ）は腕置き台１の先端部の周辺部１−Ｒの外周に把持を容易にするべく指が対応する凹凸部１−Ｇが形成された把持部を示している。
【００２３】
図８は、図７に示す実施例と同様腕置き台１の先端部に孔１Ｍを穿った実施例で、特に図８（Ａ）は、孔１Ｍと孔１Ｍの周辺部１−Ｒを手先係止部として構成したものである。孔１Ｍはほぼ円形状をなし、手首までが挿通できる大きさに設定されている。孔１Ｍの周辺部１−Ｒが手先係止部として機能する。他方図８（Ｂ）は腕置き台１の先端部の周辺部１−Ｒの外周に把持を容易にするべく各指が対応する凹凸部１−Ｇが形成された把持部を示している。
【００２４】
図９は被検者Ｋが天板６の上に敷かれたマットレスＭの上に横臥している状態を示しているが、腕置き台１は検査開始前においては看護士（図示せず）等が被検者Ｋの腰部の辺りのマットレスＭと天板６との間に腕置き台１の張出部１−Ｓを挿入させて支持する。なお、図に示すように腕Ａは腕置き台の主体部１−Ｐに置かれ、手先は腕置き台１に形成された手先係止部１−Ｅにて係止されている。
【００２５】
腕置き台１の材料としては、Ｘ線が透過することが条件であるが、上述したカーボン以外に、木製品なども利用できる。さらには、プラスチック材や塩化ビニール材などの樹脂材によって成形された剛性のあるものも使用可能である。他方、検診用としての検診台ＴＤについては、図示例では天板６が検診台として機能しているが、Ｘ線透視撮影装置ＸＤのような大掛かりな検診台ＴＤにかぎらず、患者を単に載架する一枚の板状の台が片持ち式に付設された検診台でもよく、検診台ＴＤについても図示例に限定されず各種各様の形をした検診台にも適用可能である。
【００２６】
本考案が提供する検診用腕置き台の特徴は、上述しまた図面に示したとおりであるが、上記ならびに図示例に示す形状、構造に限定されるものではなく、本考案の特徴を備えた各種の変形例を包含するものである。なお、図１、図２、図４から図９において同一の符号で示される部品はそれぞれの図において説明した部品と同一で、同一の機能を有するものであり、詳細な説明は省略している。
【図面の簡単な説明】
【００２７】
【図１】本考案が提供する検診用腕置き台の構造を示す図である。
【図２】本考案が提供する検診用腕置き台の構造を示す縦断面図である。
【図３】従来における検診用腕置き台の構造を示す図である。
【図４】本考案が提供する検診用腕置き台の構造を示す図である。
【図５】本考案が提供する検診用腕置き台の構造を示す縦断面図である。
【図６】本考案が提供する検診用腕置き台の構造を示す図である。
【図７】本考案が提供する検診用腕置き台の構造を示す図である。
【図８】本考案が提供する検診用腕置き台の構造を示す図である。
【図９】本考案が提供する検診用腕置き台と患者との関係を示す図である。
【図１０】Ｘ線透視検査装置と検診用腕置き台との関係を斜視的に示す図である。
【図１１】従来における検診用腕置き台と患者との関係を示す図である。
【符号の説明】
【００２８】
１  腕置き台
１−Ｈ  係合用孔
１Ｈ  孔
１Ｍ  孔
１Ｋ  切欠部
１−Ｇ  凹凸部
１Ｆ  ベルト取付部
１−Ｐ  腕置き台の主体部
１−Ｅ  手先係止部
１−Ｎ  曲面部
１−Ｓ  張出部
１−Ｔ  上腕載せ部
１−Ｒ  周辺部
２  ベルト
２１  下側ベルト
２２  上側ベルト
３  Ｃアーム
４  Ｘ線源
５  Ｘ線検出器
６  天板
７  弾性部材
７−１  弾性部材
７−２  弾性部材
ＸＤ  Ｘ線透視撮影装置
ＴＤ  検診台
Ａ  腕
Ｋ  被検者
Ｍ  マットレス
ＭＴ  医療用テープ
Ｗ  天板幅
【図１】
0003142079.tif 000003
【図２】
0003142079.tif 000004
【図３】
0003142079.tif 000005
【図４】
0003142079.tif 000006
【図５】
0003142079.tif 000007
【図６】
0003142079.tif 000008
【図７】
0003142079.tif 000009
【図８】
0003142079.tif 000010
【図９】
0003142079.tif 000011
【図１０】
0003142079.tif 000012
【図１１】
0003142079.tif 000013